(57)【特許請求の範囲】
【請求項１】
現金の入金処理及び出金処理を行い、入出金処理のデータを送信する現金処理機と、
前記現金処理機から送信された前記データを受信し、受信データに基づいて、前記現金処理機が設置される店舗の銀行口座と、前記現金処理機の機内の現金の回収を行う警備会社の銀行口座との間における振込処理を行うセンターサーバと、
を備え、
前記現金処理機は、現金の入金処理を行うと、入金処理があったこと及び入金額を含む入金処理のデータを作成して前記センターサーバへ送信し、前記センターサーバは、前記入金額を前記警備会社の銀行口座から前記店舗の銀行口座へ振り込むとともに、
前記現金処理機は、現金の出金処理を行うと、出金額が所定額より大きいか否かを判定し、前記出金額が前記所定額より大きい場合、前記所定額を超える出金があったこと及び前記出金額から前記所定額を減じた立替額を含む出金処理のデータを作成して前記センターサーバへ通知し、
前記センターサーバは、前記立替額を前記店舗の銀行口座から前記警備会社の銀行口座へ振り込むことを特徴とする現金処理システム。
【請求項２】
前記所定額は、予め前記現金処理機に入金されていた釣銭準備金であることを特徴とする請求項１に記載の現金処理システム。
【請求項３】
店舗に設置され、前記店舗の銀行口座と機内の現金の回収を行う警備会社の銀行口座との間における振込処理を行うセンターサーバに通信接続された現金処理機であって、
現金の入金処理を行うと、入金処理があったこと及び入金額を含む入金処理のデータを作成して前記センターサーバへ送信し、
現金の出金処理を行うと、出金額が所定額より大きいか否かを判定し、前記出金額が前記所定額より大きい場合、前記所定額を超える出金があったこと及び前記出金額から前記所定額を減じた立替額を含む出金処理のデータを作成して前記センターサーバへ送信することを特徴とする現金処理機。
【請求項４】
前記所定額は、予め前記現金処理機に入金されていた釣銭準備金であることを特徴とする請求項３に記載の現金処理機。
【発明の詳細な説明】
【技術分野】
【０００１】
本発明は、店舗に設置され入出金を行う現金処理機と、この現金処理機における入出金処理に応じて店舗口座と警備会社口座との間での振込処理を行うセンターサーバとを備える現金処理システムに関する。また、本発明は、このような現金処理システムを用いた現金処理方法、及び現金処理システムに用いられる現金処理機に関する。
【背景技術】
【０００２】
近年、店舗売上金等を入金する入金機を店舗内に設置し、入金機内の現金の回収を警備会社に委託するということが行われている。入金機に売上金が入金されると、入金データが入金機から警備会社のセンターへ送信され、センターは、受信した入金データに基づく金額を顧客口座（入金機を設置している店舗の銀行口座）へ振り込んでいる（例えば特許文献１参照）。
【０００３】
また、警備会社は、顧客口座から予め決められた金額の釣銭準備金を引き出し、入金機内の現金の回収時に、店舗に配送している。しかし、顧客口座からは配送よりも前の日に釣銭準備金が引き出されるため、店舗は、その分だけ銀行から受け取ることができる金利が減っていた。また、少なくとも３日前に釣銭注文を行わなければならず、リアルタイムに適正な準備金を得ることが出来なかった。
【０００４】
また、店舗での釣銭不足を防止するため、一般に、釣銭準備金は店舗の繁忙日を基準に作成される。つまり、繁忙日以外では過剰な釣銭が準備されている。このことは、店舗にとって、運用資金を多く必要とすることになり、経営の圧迫につながっていた。また、警備会社にとって、釣銭準備金の作成に時間がかかり、かつ貨幣の運搬量が多くなるため、コストがかかっていた。
【先行技術文献】
【特許文献】
【０００５】
【特許文献１】特許第３５４２０５１号公報
【発明の概要】
【発明が解決しようとする課題】
【０００６】
本発明は、貨幣を効率良く運用し、釣銭準備金の作成に伴い店舗及び警備会社に生じるコストを削減することができる現金処理システム、現金処理方法、及び現金処理機を提供することを目的とする。
【課題を解決するための手段】
【０００７】
本発明の一態様による現金処理システムは、現金の入金処理及び出金処理を行い、入出金データを送信する現金処理機と、前記現金処理機から送信された前記入出金データを受信し、前記入出金データに基づいて、前記現金処理機が設置される店舗の銀行口座と、前記現金処理機の機内の現金の回収を行う警備会社の銀行口座との間における振込処理を行うセンターサーバと、を備え、前記現金処理機は、入金額を含む売上金情報、前記入金額より少ない出金額を含む立替情報、及び前記入金額から前記出金額を減じた回収額を含む回収金情報を有する前記入出金データを作成し、前記センターサーバは、前記売上金情報に含まれる前記入金額を前記警備会社の銀行口座から前記店舗の銀行口座へ振り込むものである。
【０００８】
本発明の一態様による現金処理方法は、現金の入出金を行う現金処理機と、前記現金処理機に通信接続されたセンターサーバとを用いる現金処理方法であって、前記現金処理機が入金処理を行うステップと、前記現金処理機が前記入金処理に伴う入金額より少ない金額の出金処理を行うステップと、前記現金処理機が、前記入金額を含む売上金情報、前記出金処理に伴う出金額を含む立替情報、及び前記入金額から前記出金額を減じた回収額を含む回収金情報を有する入出金データを作成し、前記センターサーバに通知するステップと、前記センターサーバが、前記売上金情報に含まれる前記入金額を、前記現金処理機の機内の現金の回収を行う警備会社の銀行口座から前記現金処理機が設置される店舗の銀行口座へ振込処理を行うステップと、を備えるものである。
【０００９】
本発明の一態様による現金処理方法においては、前記警備会社の銀行口座には前記店舗からの預託金があり、前記センターサーバは、前記振込処理を行うにあたり、前記立替情報に含まれる前記出金額の分について前記預託金を使用することが好ましい。
【００１０】
本発明の一態様による現金処理方法においては、前記現金処理機は、貨幣の出金予約を受け付け、予約された出金額を用いて、貨幣の出金前に前記入出金データを作成することが好ましい。
【００１１】
本発明の一態様による現金処理機は、店舗に設置され、前記店舗の銀行口座と機内の現金の回収を行う警備会社の銀行口座との間における振込処理を行うセンターサーバに通信接続された現金処理機であって、入金額を含む売上金情報、前記入金額より少ない出金額を含む立替情報、及び前記入金額から前記出金額を減じた回収額を含む回収金情報を有する入出金データを作成し、前記入出金データを前記センターサーバへ送信するものである。
【００１２】
本発明の一態様による現金処理機においては、紙幣の収納及び操り出しを行う第１及び第２収納部、紙幣の収納を行う第３収納部、及び出金紙幣の金種別枚数の指示を受け付ける指示受付部を有する紙幣処理装置と、硬貨の入金処理及び出金処理を行う硬貨処理装置と、をさらに備え、前記紙幣処理装置は、入金された千円紙幣、五千円紙幣、千円及び五千円以外の金種の紙幣をそれぞれ前記第１乃至第３収納部に収納し、前記指示受付部が受け付けた枚数の千円紙幣及び五千円紙幣を前記第１及び第２収納部に残し、それ以外の千円紙幣及び五千円紙幣を前記第１及び第２収納部から繰り出して前記第３収納部に収納することが好ましい。
【００１３】
本発明の一態様による現金処理機においては、取り込まれた貨幣を識別する識別部、識別された貨幣を収納する収納部、前記収納部に収納された貨幣を機体外部から取り出すための開口を開閉するシャッタ部、入金確定指示、返却指示、及び収納指示を受け付ける指示受付部、及び前記収納指示に基づいて前記収納部に収納された貨幣が当該収納部から送られ、この送られた貨幣を収納する収納カセットを有する貨幣処理装置をさらに備え、前記返却指示に基づいて前記シャッタ部は開き、前記入金確定指示を受け付けた際の前記識別部の第１計数結果を用いて前記売上金情報を作成し、前記収納指示を受け付けた際の前記識別部の第２計数結果を用いて前記回収金情報を作成し、前記第１計数結果と前記第２計数結果の差分から前記立替情報を作成することが好ましい。
【００１４】
本発明の一態様による現金処理機においては、取り込まれた貨幣を識別する識別部と、識別された貨幣が搬送される収納部及びリジェクト部と、入金確定指示、収納指示、及び釣銭準備金貨幣の金種別枚数の指示を受け付ける指示受付部と、前記収納指示に基づいて前記収納部に収納された貨幣が当該収納部から送られ、この送られた貨幣を収納する収納カセットと、を有する貨幣処理装置をさらに備え、取り込んだ貨幣のうち前記指示受付部を介して釣銭準備金貨幣として指示された金種別枚数の貨幣を前記リジェクト部へ搬送し、それ以外の貨幣を前記収納部へ搬送し、前記入金確定指示を受け付けた際の前記識別部の計数結果を用いて前記売上金情報を作成し、前記指示受付部を介して釣銭準備金貨幣として指示された金種別枚数を用いて前記回収金情報を作成し、前記計数結果と前記指示受付部を介して指示された前記釣銭準備金貨幣の金額との差分から前記立替情報を作成することが好ましい。
【００１５】
本発明の一態様による現金処理機においては、包装硬貨を出金する出金部をさらに備え、出金した棒金硬貨の金額を前記立替情報に含めることが好ましい。
【００１６】
本発明の一態様による現金処理システムは、現金の入金処理及び出金処理を行い、入出金処理のデータを送信する現金処理機と、前記現金処理機から送信された前記データを受信し、受信データに基づいて、前記現金処理機が設置される店舗の銀行口座と、前記現金処理機の機内の現金の回収を行う警備会社の銀行口座との間における振込処理を行うセンターサーバと、を備え、前記現金処理機は、出金額が所定額より大きい場合、前記出金額から前記所定額を減じた立替額を前記センターサーバへ通知し、前記センターサーバは、前記立替額を前記店舗の銀行口座から前記警備会社の銀行口座へ振り込むものである。
【００１７】
本発明の一態様による現金処理システムにおいては、前記センターサーバは、所定期間内に前記現金処理機から通知された前記立替額を集計し、前記所定期間毎に、集計した立替額の振込処理を行うことが好ましい。
【００１８】
本発明の一態様による現金処理システムにおいては、前記現金処理機は、入金額を前記センターサーバへ通知し、前記センターサーバは、前記入金額を前記警備会社の銀行口座から前記店舗の銀行口座へ振り込み、前記現金処理機から前記立替額が通知されている場合は、前記入金額と前記立替額の差額を前記警備会社の銀行口座から前記店舗の銀行口座へ振り込むことが好ましい。
【００１９】
本発明の一態様による現金処理システムにおいては。前記現金処理機は、前記出金額の指示を受け付ける指示受付部を有することが好ましい。
【００２０】
本発明の一態様による現金処理方法は、現金の入出金を行う現金処理機と、前記現金処理機に通信接続されたセンターサーバとを用いる現金処理方法であって、前記現金処理機が入金処理を行うステップと、前記現金処理機が前記入金処理に伴う入金額を前記センターサーバに通知するステップと、前記センターサーバが、前記入金額に基づいて、前記現金処理機の機内の現金の回収を行う警備会社の銀行口座から前記現金処理機が設置される店舗の銀行口座へ振込処理を行うステップと、前記現金処理機が、所定額より大きい金額の出金処理を行うステップと、前記現金処理機が、前記出金処理に伴う出金額から前記所定額を減じた立替額を前記センターサーバに通知するステップと、前記センターサーバが、前記立替額に基づいて、前記店舗の銀行口座から前記警備会社の銀行口座へ振込処理を行うステップと、を備えるものである。
【００２１】
本発明の一態様による現金処理方法においては、前記センターサーバは、所定期間内に前記現金処理機から通知された前記立替額を集計し、前記所定期間毎に、集計した立替額の振込処理を行うことが好ましい。
【００２２】
本発明の一態様による現金処理機は、店舗に設置され、前記店舗の銀行口座と機内の現金の回収を行う警備会社の銀行口座との間における振込処理を行うセンターサーバに通信接続された現金処理機であって、現金の入金処理及び出金処理を行い、入出金処理のデータを前記センターサーバへ送信し、出金額が所定額より大きい場合、前記出金額から前記所定額を減じた立替額を前記センターサーバに通知するものである。
【００２３】
本発明の一態様による現金処理機においては、包装硬貨を収納する収納部と、前記包装硬貨を出金する出金部と、をさらに備え、前記包装硬貨を用いて前記出金処理を行うことが好ましい。
【発明の効果】
【００２４】
本発明によれば、貨幣を効率良く運用し、釣銭準備金の作成に伴い店舗及び警備会社に生じるコストを削減することができる。
【図面の簡単な説明】
【００２５】
【図１】本発明の第１の実施形態に係る現金処理システムの概略構成図である。
【図２】現金処理機のブロック構成図である。
【図３】紙幣処理装置の概略構成図である。
【図４】硬貨処理装置の概略構成図である。
【図５】センターサーバのブロック構成図である。
【図６】同第１の実施形態に係る現金処理方法を説明するフローチャートである。
【図７】同第１の実施形態に係る現金処理方法を説明するフローチャートである。
【図８】入出金の一例を示す図である。
【図９】本発明の第２の実施形態に係る現金処理方法を説明するフローチャートである。
【図１０】本発明の第３の実施形態に係る紙幣入金機の概略構成図である。
【図１１】同第３の実施形態に係る現金処理方法を説明するフローチャートである。
【図１２】同第３の実施形態に係る現金処理方法を説明するフローチャートである。
【図１３】同第３の実施形態に係る現金処理方法を説明するフローチャートである。
【発明を実施するための形態】
【００２６】
以下、本発明の実施の形態を図面に基づいて説明する。
（第１の実施形態）図１に本発明の第１の実施形態に係る現金処理システムの概略構成を示す。現金処理システムは、店舗１に設置された現金処理機１０と、センターサーバ２０とを備えている。現金処理機１０は、現金の入金処理又は出金処理を行うと、入出金処理の内容を示す入出金データを、インターネット等の通信回線を介して、センターサーバ２０へ送信する。
【００２７】
センターサーバ２０は、現金処理機１０から受信した入出金データ２０に基づいて、銀行３の店舗口座３１と警備会社口座３２との間における振込処理を行う。ここで、店舗口座３１とは、現金処理機１０が設置されている店舗１、又はこの店舗１の本社（経営者）の銀行口座である。また、警備会社口座３２は、現金処理機１０から現金を回収したり、現金処理機１０に現金を補充したりする業務の委託を受けている警備会社の銀行口座である。例えば、警備会社は、店舗口座３１から振り込まれた預託金を利用して釣銭準備金を作成し、この釣銭準備金を現金処理機１０に補充する。店舗１では、営業開始前などに現金処理機１０から釣銭用の貨幣が出金され、店舗１内の売り場にあるレジに入金される。
【００２８】
店舗口座３１と警備会社口座３２は、異なる銀行の口座でもよい。また、銀行に限らず、信用金庫等の他の金融機関の口座でもよい。
【００２９】
図２に、現金処理機１０のブロック構成を示す。現金処理機１０は、演算制御部１００、記憶部１１０、紙幣処理装置１２０、硬貨処理装置１３０、操作部１４０、及び通信部１５０を備えている。
【００３０】
演算制御部１００は、記憶部１１０、紙幣処理装置１２０、硬貨処理装置１３０、操作表示部１４０、及び通信部１５０に接続されており、記憶部１１０に記憶されている制御プログラムに従って各部の制御を行う。また、演算制御部１００は、上述した入出金データを生成し、通信部１５０を介してセンターサーバ２０へ送信する。入出金データの生成方法は後述する。
【００３１】
記憶部１１０は、警備会社が現金処理機１０に補充した釣銭準備金の金額を記憶することができる。
【００３２】
図３に、紙幣処理装置１２０の概略構成を示す。紙幣処理装置１２０は、受入部１２１、識別部１２２、リジェクト部１２３、出金部１２４、収納繰出部１２５Ａ〜Ｃ、一時保留部１２６Ａ〜Ｃ、及び搬送部１２７を備えている。
【００３３】
受入部１２１は、投入された紙幣を１枚ずつ装置内に取り込む。
【００３４】
識別部１２２は、受入部１２１から取り込まれた紙幣の金種を識別し、金種毎の枚数を計数する。識別部１２２は、計数結果を演算制御部１００に通知する。
【００３５】
リジェクト部１２３は、識別部１２２による金種の識別ができなかった紙幣、偽券等のリジェクト紙幣を集積する。
【００３６】
出金部１２４は、紙幣を装置外部から取り出し可能になるように出金する。
【００３７】
収納繰出部１２５Ａ〜Ｃは、紙幣を金種別に収納する。また、収納繰出部１２５Ａ〜Ｃは、操作部１４０を介して出金指示が与えられると、収納されている紙幣を繰り出すことができる。
【００３８】
一時保留部１２６Ａ〜Ｃは、収納繰出部１２５Ａ〜Ｃの一部として構成されており、搬送部１２７によって搬送された紙幣を、収納済みの紙幣と区分けして一時保留する。操作部１４０を介して入金確定の指示が与えられると、一時保留部１２６Ａ〜Ｃが一時保留を解除し、一時保留されていた紙幣は、収納繰出部１２５Ａ〜Ｃに収納される。一方、操作部１４０を介して入金取消の指示が与えられると、一時保留されていた紙幣は収納繰出部１２５Ａ〜Ｃから繰り出される。
【００３９】
搬送部１２７は、受入部１２１が取り込んだ紙幣を識別部１２２へ搬送し、識別部１２２の識別結果に基づいて、リジェクト部１２３、出金部１２４、収納繰出部１２５Ａ〜Ｃ（一時保留部１２６Ａ〜Ｃ）へ搬送する。また、搬送部１２７は、収納繰出部１２５Ａ〜Ｃから繰り出された紙幣を出金部１２４へ搬送する。
【００４０】
図３では、３つの収納繰出部１２５Ａ〜Ｃ及び一時保留部１２６Ａ〜Ｃが設けられた紙幣処理装置１２０を示しているが、収納繰出部及び一時保留部の数は３つに限定されない。
【００４１】
図４に、硬貨処理装置１３０の構成例を示す。硬貨処理装置１３０は、バラ硬貨の入金を行う硬貨入金部２３０と、棒金（包装硬貨）の出金を行う硬貨出金部２５０とを備えている。
【００４２】
硬貨入金部２３０は、受入部２３１、識別部２３２、返却部２３３、収納部２３４、一時保留部２３５、及び搬送部２３６を備えている。
【００４３】
受入部２３１は、投入された硬貨を１枚ずつ取り込み、識別部２３２へ繰り出す。
【００４４】
識別部２３２は、受入部２３１から繰り出された硬貨の金種を識別し、金種毎の枚数を計数する。識別部２３２は、計数結果を演算制御部１００に通知する。
【００４５】
一時保留部２３５は、搬送部２３６によって搬送された硬貨を一括して一時保留し、操作部１４０を介して入金確定の指示が与えられると、図４のＡ方向へ移動して、一時保留されている硬貨を収納部２３４に一括して収納する。一方、操作部１４０を介して入金取消の指示が与えられると、一時保留部２３５は図４のＢ方向へ移動して、一時保留されている硬貨を返却部２３３に返却する。返却部２３３に返却された硬貨は、装置外部から取り出すことができる。
【００４６】
搬送部２３６は、受入部２３１から繰り出された硬貨を、識別部２３２へ搬送し、その後、一部保留部２３５へ搬送する。
【００４７】
硬貨出金部２５０は、棒金保管繰出部２５１Ａ〜Ｋ、棒金計数部２５２Ａ〜Ｋ、及び棒金取出部２５３を備えている。
【００４８】
棒金保管繰出部２５１Ａ〜Ｋは、金種毎に棒金を整列状態で保管するトレー形状をなしており、操作部１４０を介して与えられた出金指示に基づくトレーの引き出し量によって、必要な数の棒金を出金することができる。
【００４９】
棒金計数部２５２Ａ〜Ｋは、棒金保管繰出部２５１Ａ〜Ｋに対応して設けられており、棒金保管繰出部２５１Ａ〜Ｋから出金される棒金の数を計数する。ここでは、棒金保管繰出部２５１Ａ〜Ｋ及び棒金計数部２５２Ａ〜Ｋを１１個設ける構成を示しているが、１１個に限られるものではない。
【００５０】
棒金取出部２５３は、シャッタ構造を有している。シャッタのロックが解除されシャッタを開けることにより、棒金保管繰出部２５１Ａ〜Ｋのトレーを引き出すことができる。
【００５１】
図２に示す操作部１４０は、入金処理の開始指示、紙幣及び硬貨の入金確定の指示、入金取消の指示を受け付けることができる。ここで入金処理とは、例えば、店舗１の売上金の入金である。また、操作部１４０は、出金処理の開始指示、出金すべき貨幣の金種別枚数を含む出金指示を受け付けることができる。ここで出金処理とは、店舗１内のレジに補充する釣銭準備金の出金である。
【００５２】
操作部１４０が入金処理の開始指示を受け付けると、演算制御部１００は、識別部１２２、２３２から計数結果を受け取り、入金額を算出する。また、演算制御部１００は、算出した入金額を、表示部（図示せず）に表示する。例えば、操作部１４０及び表示部をタッチパネルで構成することができる。
【００５３】
そして、演算制御部１００は、操作部１４０が入金確定の指示を受け付けると、算出した入金額を用いて入出金データを生成し、通信部１５０を介してセンターサーバ２０へ送信する。この場合、入出金データには、現金処理機１０へ入金があったこと、及び入金額についての情報が含まれる。
【００５４】
一方、操作部１４０が出金処理の開始指示及び出金指示を受け付け、紙幣処理装置１２０及び硬貨処理装置１３０から貨幣が出金されると、演算制御部１００は、操作部１４０が受け付けた出金指示に基づいて出金額Ｍ１を算出する。そして、演算制御部１００は、算出した出金額Ｍ１と、記憶部１１０に記憶されている現金処理機１０にあらかじめ入金されていた釣銭準備金の金額Ｍ０とを比較し、出金額Ｍ１があらかじめ入金されていた釣銭準備金の金額Ｍ０より大きい場合は差額を算出する。そして、演算制御部１００は、算出した差額を用いて入出金データを生成し、通信部１５０を介してセンターサーバ２０へ送信する。この場合、入出金データには、現金処理機１０から、あらかじめ入金しておいた釣銭準備金の金額Ｍ０以上の出金があったこと、及びその差額についての情報が含まれる。
【００５５】
現金処理機１０には、警備会社があらかじめ入金（補充）した釣銭準備金と、店舗１の売上金とが収納されている。出金額Ｍ１が、警備会社が補充した釣銭準備金の金額Ｍ０より大きい場合は、警備会社が補充した釣銭準備金だけでなく、店舗１の売上金の一部も出金処理に使用されることになる。店舗１の売上金は、現金処理機１０に入金されると、その所有権は店舗１から警備会社に移行する。つまり、出金額Ｍ１と、警備会社が補充した釣銭準備金の金額Ｍ０との差額は、警備会社が店舗１に対して立て替えた金額とみなすことができる。
【００５６】
図５に、センターサーバ２０のブロック構成を示す。センターサーバ２０は、通信部２１及び振込処理部２２を備えている。
【００５７】
通信部２１は、現金処理機１０から入出金データを受信する。また、通信部２１は銀行３のシステムに接続して後述する振込内容を通知し、店舗口座３１と警備会社口座３２との間での振込を行う。
【００５８】
振込処理部２２は、通信部２１が受信した入出金データに基づいて振込内容を作成する。例えば、入出金データが、現金処理機１０へ入金があったこと、及び入金額についての情報を含んでいる場合、振込処理部２２は、警備会社口座３２から店舗口座３１へ、現金処理機１０への入金額と同額の振込処理が行われるように振込内容を作成する。
【００５９】
このような振込処理により、店舗１における売上金を現金処理機１０に入金することで、店舗口座３１に売上金に相当する入金が行われることになる。店舗１は、警備会社による現金処理機１０内の現金回収を待たずに店舗口座３１に速やかに売上金相当額を入金することができる。
【００６０】
一方、入出金データが、現金処理機１０にあらかじめ入金しておいた釣銭準備金の金額Ｍ０以上の出金があったこと、及びその差額についての情報を含んでいる場合、振込処理部２２は、店舗口座３１から警備会社口座３２へ、差額と同額の振込処理が行われるように振込内容を作成する。
【００６１】
このような振込処理により、例えば、店舗１において現金処理機１０から金額Ｍ１の釣銭準備金を出金すると、あらかじめ店舗口座３１から引き落とされ警備会社が作成し現金処理機１０に補充していた釣銭準備金の金額Ｍ０と金額Ｍ１との差額、すなわち警備会社が立て替えた金額の精算を行うことができる。従来は、店舗１での釣銭不足を防止するため、多額の釣銭貨幣が必要となる店舗１の繁忙日を基準に釣銭準備金を作成し、繁忙日以外では過剰な釣銭を準備している状態となり、店舗１は運用資金の一部をこのような過剰な釣銭に充てていた。また、警備会社は、店舗１の繁忙日を基準にした釣銭準備金を作成するため、釣銭準備金の作成に時間がかかり、かつ貨幣の運搬量が多くなるため、コストがかかっていた。
【００６２】
しかし、本実施形態では、あらかじめ準備しておく釣銭準備金の金額Ｍ０を必要最低限に設定しておき、金額Ｍ０より多くの釣銭準備金が必要になった場合、その差額分は警備会社の立て替えにより対応することができる。従って、釣銭準備金に充てる運用資金を減らすことができる。また、警備会社は、必要最低限に設定された釣銭準備金を作成・運搬し、店舗１において金額Ｍ０より多く必要になった分は、入金処理により現金処理機１０に入金された店舗１の売上金を使用して出金すればよいため、釣銭準備金の作成時間及び貨幣の運搬量を低減でき、コストを削減できる。
【００６３】
次に、このような現金処理システムを用いた現金処理方法を、図６に示すフローチャートを用いて説明する。図６は、現金処理機１０に入金があった場合のフローチャートである。
【００６４】
（ステップＳ１０１）店舗１において、現金処理機１０の操作部１４０が、ユーザから入金処理の開始指示を受け付ける。続いて、現金処理機１０（紙幣処理装置１２０及び硬貨処理装置１３０）に現金が投入される。投入される現金は、例えば店舗１における売上金である。
【００６５】
（ステップＳ１０２）紙幣処理装置１２０及び硬貨処理装置１３０が、投入された現金の識別・計数を行う。演算制御部１００が、紙幣処理装置１２０及び硬貨処理装置１３０から計数結果を取得し、表示部に表示する。
【００６６】
（ステップＳ１０３）操作部１４０がユーザから入金確定指示を受け付け、一時保留されていた現金が収納部１２５Ａ〜Ｃ、２３４に収納される。
【００６７】
（ステップＳ１０４）演算制御部１００が、計数結果を用いて、現金処理機１０へ入金があったこと、及び入金額についての情報を含む入出金データを作成する。
【００６８】
（ステップＳ１０５）通信部１５０が入出金データを送信する。
【００６９】
（ステップＳ１０６）センターサーバ２０の通信部２１が入出金データを受信する。
【００７０】
（ステップＳ１０７）振込処理部２２が、入出金データを用いて、警備会社口座３２から店舗口座３１へ、現金処理機１０への入金額と同額の振込処理が行われるように振込内容を作成する。
【００７１】
（ステップＳ１０８）通信部２１が銀行３のシステムに振込内容を通知する。これにより、警備会社口座３２と店舗口座３１との間での振込処理が行われる。
【００７２】
次に、現金処理機１０から出金があった場合の処理を、図７に示すフローチャートを用いて説明する。なお、現金処理機１０には、事前に警備会社から配送された金額Ｍ０の釣銭準備金が入金されているものとする。金額Ｍ０は現金処理機１０の記憶部１１０に記憶されている。釣銭準備金を配送した警備会社の社員が金額Ｍ０を記憶部１１０に設定してもよいし、センターサーバ２０が現金処理機１０に金額Ｍ０を通知してもよい。
【００７３】
（ステップＳ２０１）店舗１において、現金処理機１０の操作部１４０が、ユーザから出金処理の開始指示を受け付ける。
【００７４】
（ステップＳ２０２）操作部１４０が、ユーザから出金貨幣の金種別枚数を含む出金指示を受け付ける。現金処理機１０（紙幣処理装置１２０及び硬貨処理装置１３０）は出金指示に基づいて紙幣及び硬貨（棒金）を出金する。ここで出金される紙幣及び硬貨（棒金）は、例えば店舗１の店頭に設置されたレジに補充される。また、演算制御部１００が、出金指示に基づいて、出金額Ｍ１を算出する。
【００７５】
（ステップＳ２０３）演算制御部１００が、出金額Ｍ１と、事前に警備会社から配送された釣銭準備金の金額Ｍ０とを比較する。金額Ｍ１が金額Ｍ０より大きい場合はステップＳ２０４に進む。金額Ｍ１が金額Ｍ０以下の場合はステップＳ２０９へ進む。
【００７６】
（ステップＳ２０４）演算制御部１００が金額Ｍ１と金額Ｍ０の差額を算出する。そして、演算制御部１００は、事前に配送された釣銭準備金以上の出金があったこと、及び差額についての情報を含む入出金データを作成する。この差額は、警備会社が店舗１に対して立て替えた金額である。
【００７７】
（ステップＳ２０５）通信部１５０が入出金データを送信する。
【００７８】
（ステップＳ２０６）センターサーバ２０の通信部２１が入出金データを受信する。
【００７９】
（ステップＳ２０７）振込処理部２２が、入出金データを用いて、店舗口座３１から警備会社口座３２へ、差額と同額の振込処理が行われるように振込内容を作成する。
【００８０】
（ステップＳ２０８）通信部２１が銀行３のシステムに振込内容を通知する。これにより、店舗口座３１と警備会社口座３２との間での振込処理が行われる。これにより、店舗１における事前配送された釣銭準備金以上の出金分、すなわち警備会社が立て替えた分が精算される。
【００８１】
（ステップＳ２０９）金額Ｍ１が金額Ｍ０以下の場合、現金処理機１０は金額Ｍ１の出金があったことをセンターサーバ２０に通知してもよいし、出金履歴を記憶部１１０に記憶させ、センターサーバ２０に対しては何も通知しなくてもよい。
【００８２】
このように、本実施形態によれば、店舗１は、店舗１内のレジに補充する現金として、警備会社により事前に配送された釣銭準備金より多くの現金が必要な場合、差額を警備会社による立て替え払いとすることができる。そのため、事前に作成しておく釣銭準備金を必要最低限に設定することができる。このことにより、銀行から受け取る金利の減少を抑制し、かつ運用資金を削減できるため、釣銭準備金の作成にかかるコストを削減することができる。
【００８３】
また、警備会社は、店舗１に配送した釣銭準備金より多くの現金が現金処理機１０から出金される場合、差額分を、店舗１の売上金等として入金された現金処理機１０内の現金を用いて立て替えて出金することができる。このことにより、警備会社は、作成する釣銭準備金の量や、貨幣の運搬回数、運搬量を減らすことができ、釣銭準備金の作成及び運搬にかかるコストを削減することができる。
【００８４】
従って、現金処理機１０内の現金を効率良く使用して、釣銭準備金の作成に伴い店舗及び警備会社に生じるコストを削減することができる。
【００８５】
図８を用いて、本実施形態に係る現金処理システムによる貨幣の入出金処理及び振込処理の一例を説明する。
【００８６】
図８（ａ）に示すように、現金処理機１０には、警備会社により配送された釣銭準備金として、千円札が２００枚収納され、現金処理機１０の記憶部１１０には、事前に警備会社から配送された金額Ｍ０として２０万円が記憶されているものとする。
【００８７】
図８（ｂ）に示すように、店舗１の営業終了後、売上金として１万円札２０枚、千円札５００枚が入金される。これにより、現金処理機１０は、１万円札２０枚、千円札７００枚を収納した状態になる。現金処理機１０は、センターサーバ２０へ７０万円の入金があったことを示す入出金データを送信する。センターサーバ２０はこの入出金データに基づいて、警備会社口座３２から店舗口座３１へ７０万円の振り込みが行われるように振込処理を行う。
【００８８】
図８（ｃ）に示すように、店舗の営業開始前にユーザが店頭のレジに補充する釣銭準備金として千円札３００枚を出金する。出金額Ｍ１は３０万円であり、図８（ｂ）に示す入金処理により現金処理機１０に入金された店舗売上金の一部も出金に使用される。現金処理機１０の演算制御部１００は、出金額Ｍ１が金額Ｍ０より大きいため、立替額（１０万円）を算出し、立替額を含む入出金データをセンターサーバ２０へ送信する。センターサーバ２０はこの入出金データに基づいて、店舗口座３１から警備会社口座３２へ１０万円の振り込みが行われるように振込処理を行う。現金処理機１０に残っている現金は、警備会社により定期的に回収される。
【００８９】
なお、センターサーバ２０は、現金処理機１０から入出金データを受信する度に振込処理を行ってもよいし、一定期間内に立て替え出金した金額を集計して、一定期間内の立替額を一括して振込処理するようにしてもよい。また、センターサーバ２０は、現金処理機１０から立替額が通知された場合、次に受信する現金処理機１０への入金額から立替額を減算し、減算結果に基づいて振込処理を行うようにしてもよい。これにより、振込処理の回数を減らすことができ、振込処理にあたり金融機関へ払う手数料を低減することができる。
【００９０】
上記実施形態では、現金処理機１０は、入金処理や出金処理の度に入出金データを作成し、センターサーバ２０へ送信していたが、所定回数の入出金処理が行われる毎に入出金データを作成してもよいし、所定時間毎に入出金データを作成してもよい。
【００９１】
また、上記実施形態では現金処理機１０が立替額を計算していたが、センターサーバ２０が立替額を計算してもよい。この場合、現金処理機１０は、出金処理を行う度に、出金額によらず入出金データを作成し、センターサーバ２０へ送信する。また、センターサーバ２０は、警備会社が店舗１へ配送した釣銭準備金の金額Ｍ０を把握しておく。
【００９２】
センターサーバ２０は、手数料を考慮して振込内容を作成してもよい。例えば、センターサーバ２０は、現金処理機１０が立替出金を行った場合、立替額に手数料を加算した金額が店舗口座３１から警備会社口座３２に振り込まれるようにする。
【００９３】
上記実施形態では、バラ硬貨の入金を行う硬貨入金部２３０と、棒金の出金を行う硬貨出金部２５０を備えた硬貨処理装置１３０について説明したが、硬貨処理装置１３０は、バラ硬貨の入金及び出金を行うものでもよい。このような硬貨処理装置１３０は、図３に示す紙幣処理装置１２０と同様の構成を有しているので、説明は省略する。これにより、店舗１において現金処理機１０に入金された硬貨も、出金に使用することができる。
【００９４】
センターサーバ２０は、店舗口座３１と警備会社口座３２との間で振込処理を行った後に、店舗１や、店舗１の本社に振込内容を通知するようにしてもよい。
【００９５】
（第２の実施形態）上記第１の実施形態では、釣銭準備金の作成にあたり、警備会社が店舗１へ配送した釣銭準備金の金額Ｍ０より多額の釣銭準備金を出金する際には売上金の一部を流用する場合について説明したが、金額Ｍ０を０とし、売上金のみから釣銭準備金を作成するようにしてもよい。また、上記第１の実施形態では貨幣の出金に伴い入出金データを作成していたが、後で出金する釣銭準備金を予め指示（予約）しておき、実際の貨幣の出金前に入出金データを作成してもよい。つまり、出金予約を出金処理とみなしてもよい。
【００９６】
売上金の入金及び釣銭準備金の出金予約を連続して行い、入出金データを作成し、振込を行う方法を図９に示すフローチャートを用いて説明する。なお、本実施形態では、警備会社口座３２に店舗１から振り込まれた預託金があるものとする。
【００９７】
（ステップＳ３０１）店舗１において、現金処理機１０の操作部１４０が、ユーザから入金処理の開始指示を受け付ける。続いて、現金処理機１０（紙幣処理装置１２０及び硬貨処理装置１３０）に貨幣が投入される。投入される貨幣は、店舗１における売上金である。
【００９８】
（ステップＳ３０２）紙幣処理装置１２０及び硬貨処理装置１３０が、投入された貨幣の識別・計数を行う。演算制御部１００が、紙幣処理装置１２０及び硬貨処理装置１３０から計数結果を取得し、表示部に表示する。
【００９９】
（ステップＳ３０３）操作部１４０がユーザから入金確定指示を受け付け、一時保留されていた貨幣が収納部１２５Ａ〜Ｃ、２３４に収納される。
【０１００】
（ステップＳ３０４）操作部１４０がユーザから後で（例えば翌日）出金する釣銭準備金の金額（金種別枚数）を受け付ける。すなわち、操作部１４０がユーザから出金予約を受け付ける。売上金のみから釣銭準備金を作成するため、出金予約可能な釣銭準備金の金額は、ステップＳ３０３で確定した売上金の金額以下である。
【０１０１】
（ステップＳ３０５）演算制御部１００が、ステップＳ３０２の計数結果と、ステップＳ３０４で受け付けた出金予約を用いて、入出金データを作成する。この入出金データには、売上金情報、立替情報、及び回収金情報が含まれている。売上金情報は、店舗１の売上金を示す情報であり、ステップＳ３０２の計数結果に対応する。立替情報は、売上金を使って作成された釣銭準備金を示す情報であり、Ｓ３０４で受け付けた出金予約に対応する。回収金情報は、警備会社が回収する金額を示す情報であり、ステップＳ３０２の計数結果からＳ３０４で出金予約した釣銭準備金の金額を減じた値に対応する。
【０１０２】
（ステップＳ３０６）通信部１５０が入出金データを送信する。
【０１０３】
（ステップＳ３０７）センターサーバ２０の通信部２１が入出金データを受信する。
【０１０４】
（ステップＳ３０８）振込処理部２２が、入出金データを用いて、警備会社口座３２から店舗口座３１へ、現金処理機１０への入金額と同額の振込処理が行われるように振込内容を作成する。このとき、立替情報に基づいて、警備会社口座３２における店舗１からの預託金を減らす。
【０１０５】
（ステップＳ３０９）通信部２１が銀行３のシステムに振込内容を通知する。これにより、警備会社口座３２と店舗口座３１との間での振込処理が行われる。
【０１０６】
このように、本実施形態によれば、店舗１の売上金を使用して、釣銭準備金となる紙幣の出金予約をすることができる。また、センターサーバ２０には、売上金情報、立替情報、及び回収金情報を含む入出金データが通知されるため、警備会社口座３２の預託金を利用して、店舗口座３１に満額の売上金を振り込むことができる。また、警備会社は、店舗１から回収してくる貨幣の金額を取得することができる。
【０１０７】
このように、本実施形態によれば、店舗１は、店舗１内のレジに補充する釣銭用紙幣を、店舗１の売上金から作成することができる。売上金の一部を釣銭準備金として使用することで警備会社が回収する金額と、店舗口座３１に振り込まれる売上金の金額とに差が生じるが、この差分には預託金が当てられる。店舗１は、従来のような警備会社への釣銭準備金の作成依頼の頻度を減らすことができ、釣銭準備金の作成にかかるコストを削減することができる。
【０１０８】
店舗１の売上金から釣銭準備金を作成することで、警備会社は、作成する釣銭準備金の量や、貨幣の運搬回数、運搬量を減らすことができ、釣銭準備金の作成及び運搬にかかるコストを削減することができる。
【０１０９】
従って、現金処理機１０内の現金を効率良く使用して、釣銭準備金の作成に伴い店舗及び警備会社に生じるコストを削減することができる。
【０１１０】
上記第２の実施形態において、紙幣処理装置１２０の収納繰出部１２５Ａ及び１２５Ｂが釣銭準備金となる紙幣（千円紙幣及び五千円紙幣）を金種別に収納し、収納繰出部１２５Ｃが警備会社に回収される紙幣を金種混合で収納するようにしてもよい。例えば、図９のステップＳ３０１で紙幣処理装置１２０に投入された紙幣を、ステップＳ３０３で金種別に収納繰出部１２５Ａ〜Ｃに収納する。そして、ステップＳ３０４において出金予約された枚数の千円紙幣及び五千円紙幣を収納繰出部１２５Ａ及び１２５Ｂに残し、それ以外の釣銭準備金とならない千円紙幣及び五千円紙幣を収納繰出部１２５Ａ及び１２５Ｂから繰り出して収納繰出部１２５Ｃに収納する。これにより回収紙幣を収納繰出部１２５Ｃにまとめておくことができ、警備会社による回収作業のコストを削減することができる。
【０１１１】
上記第２の実施形態において、硬貨処理装置１３０の収納部２３４を、硬貨を金種別に収納操出可能な複数の収納繰出部に置き換えてもよい。その場合、紙幣と同様に、硬貨についても売上金を利用して釣銭準備金を作成することができる。
【０１１２】
（第３の実施形態）上記第１、第２の実施形態では、紙幣の入出金を行うことができる紙幣処理装置１２０を用いていたが、図１０に示すような紙幣入金機３００を用いてもよい。
【０１１３】
図１０に示すように、紙幣入金機３００は、複数の紙幣Ｐが載置される載置部３２０と、載置部３２０に載置された複数の紙幣Ｐを１枚ずつ筐体内に取り込む受入部３０１と、受入部３０１により取り込まれた紙幣Ｐを搬送する搬送部３０２と、搬送部３０２で搬送された紙幣Ｐを集積する集積部（一時保留部）３０６と、搬送部３０２に設けられ、当該搬送部３０２で搬送される紙幣Ｐの金種や真偽等を識別するとともに計数（識別計数）する識別部３０３と、集積部３０６に集積された紙幣Ｐを受け入れて収納する収納カセット３０９と、を備えている。
【０１１４】
集積部３０６近傍には、搬送部３０２で搬送された紙幣Ｐを１枚毎に羽根３０５ａの間で受け止めて集積部３０６に整列集積させる羽根車３０５が設けられている。
【０１１５】
また、図１に示すように、集積部３０６は、集積紙幣Ｐを前面側に傾斜させた状態で集積させる形状となっており、搬送部３０２から送られた紙幣Ｐを支持部３６４で支持させることで、前面側に傾斜させた立位状態で紙幣Ｐを集積するように構成されている。なお、本願で前面側とは、操作者が紙幣Ｐを載置部３２０に載置したり、後述する前面シャッタ部３６２を開放させることで集積部３０６から紙幣Ｐを取り出したりする側のことを意味し、図１０の右側のことを意味している。
【０１１６】
集積部３０６の前面側には前面シャッタ部３６２が設けられている。この前面シャッタ部３６２は、制御部３０４によって開閉が制御される。集積部３０６に集積された紙幣は、指示受付部３１５を介して入力される返却指示に基づいて前面シャッタ部３６２を開放させることにより、外部から取り出すことが可能となる（図１０の矢印Ａ２参照）。
【０１１７】
集積部３０６には、当該集積部３０６に集積された紙幣Ｐの表面を挟持し、その表面と平行な方向へ当該紙幣Ｐを搬送することで収納カセット３０９へ紙幣Ｐを収納させる挟持搬送機構３１０が設けられている（図１０の矢印Ａ１参照）。集積部３０６に集積された紙幣は、指示受付部３１５を介して入力される収納指示に基づいて、収納カセット３０９へ搬送され、収納される。
【０１１８】
図１０に示すように、収納カセット３０９には、挟持搬送機構３１０で搬送される紙幣Ｐを取り込むためのスリット状のスリット開口部３７１と、当該スリット開口部３７１を開閉するためのスリットシャッタ部３０８が設けられている。
【０１１９】
また、搬送部３０２には、集積部３０６に搬送されない紙幣Ｐが搬送されるリジェクト部３０７が設けられている。
【０１２０】
このような紙幣入金機３００を用いて、売上金の入金処理及び釣銭準備金の作成処理を連続して行い、入出金データを作成し、振込を行う方法を図１１に示すフローチャートを用いて説明する。なお、本実施形態では、警備会社口座３２に店舗１から振り込まれた預託金があるものとする。
【０１２１】
（ステップＳ４０１）店舗１において、紙幣入金機３００の指示受付部３１５が、ユーザから入金処理の開始指示を受け付ける。続いて、紙幣入金機３００に紙幣が投入される。また、硬貨処理装置１３０に硬貨が投入される。投入される貨幣は、店舗１における売上金である。
【０１２２】
（ステップＳ４０２）紙幣入金機３００が、投入された紙幣の識別・計数を行う。制御部３０４が、識別部３０３から計数結果を取得し、表示部３１６に表示する。識別・計数された紙幣は集積部３０６に集積される。また、硬貨処理装置１３０が、投入された硬貨の識別・計数を行う。
【０１２３】
（ステップＳ４０３）指示受付部３４０がユーザから入金確定指示及び返却指示を受け付ける。制御部３０４は、入金確定指示に基づいて、ステップＳ４０２における計数結果、すなわち売上金の紙幣の金額を演算制御部１００に通知する。また、制御部３０４は、返却指示に基づいて前面シャッタ部３６２を開放させる。また、演算制御部１００は硬貨処理装置１３０から計数結果を取得する。
【０１２４】
（ステップＳ４０４）ユーザが、集積部３０６から紙幣を取り出し、釣銭準備金となる紙幣を取り除く。
【０１２５】
（ステップＳ４０５）紙幣入金機３００の指示受付部３１５が、ユーザから収納処理の開始指示を受け付ける。続いて、ユーザが、釣銭準備金に使用しない残りの紙幣を載置部３２０に載置して紙幣入金機３００に再投入する。制御部３０４は、収納処理の開始指示に基づいて、前面シャッタ部３６２を閉じる。
【０１２６】
（ステップＳ４０６）紙幣入金機３００が、投入された紙幣の識別・計数を行う。制御部３０４が、識別部３０３から計数結果を取得し、表示部３１６に表示する。識別・計数された紙幣は集積部３０６に集積される。
【０１２７】
（ステップＳ４０７）指示受付部３４０がユーザから収納指示を受け付ける。制御部３０４は、収納指示に基づいて、集積部３０６に集積されている紙幣を収納カセット３０９へ搬送し、収納させる。また、制御部３０４は、収納指示に基づいて、ステップＳ４０６における計数結果、すなわち収納カセット３０９に収納された紙幣の金額を演算制御部１００に通知する。
【０１２８】
（ステップＳ４０８）演算制御部１００が、制御部３０４から通知された売上金の紙幣の金額及び収納金額と、硬貨処理装置１３０による計数結果とを用いて、入出金データを作成する。この入出金データには、売上金情報、立替情報、及び回収金情報が含まれている。売上金情報は、店舗１の売上金を示す情報であり、ステップＳ４０２の計数結果に対応する。立替情報は、売上金を使って作成された釣銭準備金を示す情報であり、ステップＳ４０４においてユーザが取り除いた紙幣であり、紙幣入金機３００のステップＳ４０２の計数結果からステップＳ４０６の計数結果を減じた値に対応する。回収金情報は、警備会社が回収する金額を示す情報であり、ステップＳ４０６の計数結果に硬貨処理装置１３０の計数結果を加算した値に対応する。
【０１２９】
（ステップＳ４０９）通信部１５０が入出金データを送信する。
【０１３０】
（ステップＳ４１０）センターサーバ２０の通信部２１が入出金データを受信する。
【０１３１】
（ステップＳ４１１）振込処理部２２が、入出金データを用いて、警備会社口座３２から店舗口座３１へ、紙幣入金機３００への入金額と同額の振込処理が行われるように振込内容を作成する。このとき、立替情報に基づいて、警備会社口座３２における店舗１からの預託金を減らす。
【０１３２】
（ステップＳ４１２）通信部２１が銀行３のシステムに振込内容を通知する。これにより、警備会社口座３２と店舗口座３１との間での振込処理が行われる。
【０１３３】
本実施形態によれば、店舗１の売上金を使用して、釣銭準備金の紙幣を作成することができる。また、センターサーバ２０には、売上金情報、立替情報、及び回収金情報を含む入出金データが通知されるため、警備会社口座３２の預託金を利用して、店舗口座３１に満額の売上金を振り込むことができる。また、警備会社は、店舗１から回収してくる金額を取得することができる。
【０１３４】
このように、本実施形態によれば、店舗１は、店舗１内のレジに補充する紙幣を、店舗１の売上金から作成することができる。売上金の一部を釣銭準備金として使用することで警備会社が回収する金額と、店舗口座３１に振り込まれる売上金の金額とに差が生じるが、この差分には預託金が当てられる。店舗１は、従来のような警備会社への釣銭準備金の作成依頼の頻度を減らすことができ、釣銭準備金の作成にかかるコストを削減することができる。
【０１３５】
店舗１の売上金から釣銭準備金を作成することで、警備会社は、作成する釣銭準備金の量や、貨幣の運搬回数、運搬量を減らすことができ、釣銭準備金の作成及び運搬にかかるコストを削減することができる。
【０１３６】
従って、売上金を効率良く使用して、釣銭準備金の作成に伴い店舗及び警備会社に生じるコストを削減することができる。
【０１３７】
図１１に示す方法では、売上金の計数後、集積部３０６から紙幣を一旦取り出し、釣銭準備金となる紙幣を取り除き、残りの紙幣を紙幣入金機３００に再投入していたが、売上金の計数と釣銭準備金の作成を並行して行ってもよい。このような方法を図１２に示すフローチャートを用いて説明する。
【０１３８】
（ステップＳ５０１）店舗１において、紙幣入金機３００の指示受付部３１５が、ユーザから入金処理の開始指示を受け付ける。さらに、指示受付部３１５は、釣銭準備金作成指示及び釣銭準備金の金種別枚数を受け付ける。続いて、紙幣入金機３００に紙幣が投入される。また、硬貨処理装置１３０に硬貨が投入される。投入される貨幣は、店舗１における売上金である。
【０１３９】
（ステップＳ５０２）紙幣入金機３００が、投入された紙幣の識別・計数を行う。制御部３０４が、識別部３０３から計数結果を取得し、表示部３１６に表示する。識別・計数された紙幣は、ユーザから指示された釣銭準備金の金種別枚数の分だけリジェクト部３０７へ搬送され、残りは集積部３０６に搬送される。また、硬貨処理装置１３０が、投入された硬貨の識別・計数を行う。
【０１４０】
（ステップＳ５０３）指示受付部３４０がユーザから入金確定指示及び収納指示を受け付ける。制御部３０４は、入金確定指示に基づいて、ステップＳ５０１で指示された釣銭準備金の金額と、ステップＳ５０２における計数結果、すなわち売上金の紙幣の金額と、を演算制御部１００に通知する。また、制御部３０４は、収納指示に基づいて、集積部３０６の紙幣を収納カセット３０９に搬送し、収納させる。また、演算制御部１００は硬貨処理装置１３０から計数結果を取得する。
【０１４１】
（ステップＳ５０４）ユーザがリジェクト部３０７から釣銭準備金となる紙幣を取り出す。
【０１４２】
（ステップＳ５０５）演算制御部１００が、制御部３０４から通知された売上金の紙幣の金額及び釣銭準備金の金額と、硬貨処理装置１３０の計数結果とを用いて、入出金データを作成する。この入出金データには、売上金情報、立替情報、及び回収金情報が含まれている。売上金情報は、店舗１の売上金を示す情報であり、ステップＳ５０２の計数結果に対応する。立替情報は、売上金を使って作成された釣銭準備金を示す情報であり、ステップＳ５０１においてユーザから指示された釣銭準備金の金額に対応する。回収金情報は、警備会社が回収する金額を示す情報であり、ステップＳ５０３で収納カセット３０９に収納された紙幣の金額、すなわちステップＳ５０２の計数結果からステップＳ５０１においてユーザから指示された釣銭準備金の金額を減じた値に、硬貨処理装置１３０の計数結果を加算した値に対応する。
【０１４３】
ステップＳ５０６〜Ｓ５０９は図１１のステップＳ４０９〜Ｓ４１２と同様の処理であるため、説明を省略する。
【０１４４】
このように、売上金の計数と釣銭準備金の作成を並行して行うことで、売上金を効率良く使用して、釣銭準備金の作成に伴い店舗及び警備会社に生じるコストを削減するとともに、ユーザの手間を減らし、処理に要する時間を短縮することができる。
【０１４５】
なお、ステップＳ５０１においてユーザから指示された釣銭準備金の金額が、ステップＳ５０２の計数結果（紙幣入金機３００に投入された売上金の金額）より少なかった場合、演算制御部１００は報知部（図示せず）からエラーを報知するようにしてもよい。また、釣銭準備金紙幣が搬送されるリジェクト部３０７にリジェクト紙幣が搬送された場合、リジェクト紙幣が含まれていることを表示部３１６に表示するようにしてもよい。
【０１４６】
上述した紙幣入金機３００を用いた釣銭準備金紙幣の作成に、図４に示す硬貨出金部２５０の棒金出金による釣銭準備金硬貨の作成を組み合わせてもよい。売上金の計数と釣銭準備金紙幣の作成を並行して行い、かつ釣銭準備金硬貨の作成を行う方法を図１３に示すフローチャートを用いて説明する。
【０１４７】
（ステップＳ６０１）店舗１において、紙幣入金機３００の指示受付部３１５が、ユーザから入金処理の開始指示を受け付ける。さらに、指示受付部３１５は、釣銭準備金作成指示及び釣銭準備金の金種別枚数を受け付ける。続いて、紙幣入金機３００に紙幣が投入される。また、硬貨処理装置１３０に硬貨が投入される。投入される貨幣は、店舗１における売上金である。
【０１４８】
（ステップＳ６０２）紙幣入金機３００が、投入された紙幣の識別・計数を行う。制御部３０４が、識別部３０３から計数結果を取得し、表示部３１６に表示する。識別・計数された紙幣は、ユーザから指示された釣銭準備金の金種別枚数の分だけリジェクト部３０７へ搬送され、残りは集積部３０６に搬送される。また、硬貨処理装置１３０が、投入された硬貨の識別・計数を行う。
【０１４９】
（ステップＳ６０３）指示受付部３４０がユーザから入金確定指示及び収納指示を受け付ける。制御部３０４は、入金確定指示に基づいて、ステップＳ６０１で指示された釣銭準備金の金額と、ステップＳ６０２における計数結果、すなわち売上金の紙幣の金額と、を演算制御部１００に通知する。また、制御部３０４は、収納指示に基づいて、集積部３０６の紙幣を収納カセット３０９に搬送し、収納させる。また、演算制御部１００は硬貨処理装置１３０から計数結果を取得する。
【０１５０】
（ステップＳ６０４）ユーザがリジェクト部３０７から釣銭準備金となる紙幣を取り出す。
【０１５１】
（ステップＳ６０５）操作部１４０が棒金の出金額及び出金指示を受け付ける。出金指示に基づき、棒金取出部２５３のシャッタのロックが解除される。
【０１５２】
（ステップＳ６０６）ユーザが棒金保管繰出部２５１Ａ〜Ｋのトレーを引き出し、必要な数の棒金を取り出す。
【０１５３】
（ステップＳ６０７）ユーザが棒金保管繰出部２５１Ａ〜Ｋのトレーを戻す。棒金計数部２５２Ａ〜Ｋが、出金された（取り出された）棒金の数を計数する。演算制御部１００は、操作部１４０が受け付けた棒金の出金額と、棒金計数部２５２Ａ〜Ｋによる計数結果とを照合する。演算制御部１００は、照合結果が不一致の場合、図示しない報知部を用いてエラーを報知する。
【０１５４】
（ステップＳ６０８）演算制御部１００が、制御部３０４から通知された売上金の紙幣の金額、釣銭準備金（紙幣）の金額、硬貨処理装置１３０の計数結果、及び操作部１４０が受け付けた棒金の出金額を用いて、入出金データを作成する。この入出金データには、売上金情報、立替情報、及び回収金情報が含まれている。売上金情報は、店舗１の売上金を示す情報であり、ステップＳ６０２の計数結果に対応する。立替情報は、売上金を使って作成された釣銭準備金紙幣及び硬貨出金部２５０により出金された棒金を示す情報であり、ステップＳ６０１においてユーザから指示された釣銭準備金と、ステップＳ６０５においてユーザから指示された棒金の出金額とを加算した値に対応する。回収金情報は、警備会社が回収する金額を示す情報であり、ステップＳ６０３で収納カセット３０９に収納された紙幣の金額、すなわち紙幣入金機３００のステップＳ６０２の計数結果からステップＳ６０１においてユーザから指示された釣銭準備金の金額を減じた値に、硬貨処理装置１３０の計数結果を加算した値に対応する。
【０１５５】
ステップＳ６０９〜Ｓ６１２は図１１のステップＳ４０９〜Ｓ４１２と同様の処理であるため、説明を省略する。
【０１５６】
このように、売上金の計数と釣銭準備金紙幣の作成を並行して行うことで、売上金を効率良く使用して、釣銭準備金の作成に伴い店舗及び警備会社に生じるコストを削減するとともに、ユーザの手間を減らし、処理に要する時間を短縮することができる。さらに、硬貨出金部２５０による棒金出金処理を組み合わせることで、釣銭準備金硬貨も作成することができる。
【０１５７】
図１３の方法は、図１２の方法に硬貨出金部２５０による棒金出金処理を組み合わせたものであるが、図１１の方法に硬貨出金部２５０による棒金出金処理を組み合わせてもよい。
【０１５８】
図９、図１１〜図１３に示すフローチャートを用いて説明した方法は、警備会社口座３２に店舗１から振り込まれた預託金がある場合のものであるが、このような預託金が無い場合は、入出金データの立替情報に対応した金額を店舗１の別口座から警備会社口座３２に振り込み、警備会社口座３２から店舗口座３１へ店舗１の売上金と同額の振り込みを行ってもよい。あるいはまた、入出金データの立替情報に対応した金額を店舗１の別口座から店舗口座３１へ振り込み、警備会社口座３２から店舗口座３１へは入出金データの回収金情報に対応した金額の振り込みを行うようにしてもよい。ここで店舗１の別口座とは、例えば、店舗口座３１を本部の口座とした場合の、フランチャイズ店の口座などである。
【０１５９】
また、上記実施形態において、現金処理機１０は、硬貨入金部２３０が省略され、棒金（包装硬貨）の出金を行う硬貨出金部２５０を有する硬貨処理装置１３０と、紙幣処理装置１２０又は紙幣入金機３００とを備えた構成としてもよい。
【０１６０】
この場合、売上金の紙幣は紙幣処理装置１２０又は紙幣入金機３００で計数し、入金される。売上金の硬貨は、別途計数された計数値が操作部１４０から手入力されると、釣銭準備金として店舗に持ち帰られる。演算制御部１００は、売上金情報、立替情報、及び回収金情報を含む入出金データを作成する。売上金情報は、紙幣処理装置１２０又は紙幣入金機３００の計数結果に、手入力された硬貨の金額を加算した値に対応する。立替情報は、売上金を使って作成された釣銭準備金を示す情報であり、店舗に持ち帰られた硬貨の金額、すなわち手入力された硬貨の金額に対応する。回収金情報は、警備会社が回収する金額を示す情報であり、紙幣処理装置１２０又は紙幣入金機３００の計数結果に対応する。
【０１６１】
例えば、売上金が紙幣で２５０，０００円、硬貨（バラ硬貨）で３，０００円あった場合、３，０００円が手入力される。そして、紙幣処理装置１２０又は紙幣入金機３００の計数結果（２５０，０００円）に、手入力された３，０００円を加えた２５３，０００円が売上金情報となる。また、店舗に持ち帰られた硬貨３，０００円が立替情報となる。また、紙幣処理装置１２０又は紙幣入金機３００の計数結果（２５０，０００円）が回収金情報となる。
【０１６２】
なお、釣銭準備金紙幣の出金処理が行われた場合、立替情報及び回収金情報は、出金した釣銭準備金紙幣の金額を加味したものとなる。
【０１６３】
また、上記実施形態において、現金処理機１０を、棒金（包装硬貨）の出金を行う硬貨出金部２５０を有する硬貨処理装置１３０と、紙幣処理装置１２０又は紙幣入金機３００とを備え、両替処理を行って釣銭準備金硬貨を作成するような構成にしてもよい。
【０１６４】
売上金の入金処理時に、売上金を利用して釣銭準備金紙幣が出金されると、操作部１４０を介して両替処理を指定し、出金された釣銭準備金紙幣の一部を紙幣処理装置１２０又は紙幣入金機３００に投入する。硬貨出金部２５０は、両替処理が指定されて投入された紙幣と同金額の棒金を出金する。そして、演算制御部１００が、売上金情報、立替情報、及び回収金情報を含む入出金データを作成する。立替情報は、出金された釣銭準備金紙幣の金額に対応する。また、回収金情報は、売上金の金額から、出金された釣銭準備金紙幣の金額を減じた値に対応する。両替処理は、両替データとして作成・記録されるが、立替情報には影響しない。
【０１６５】
例えば、売上金の入金処理時に、売上金を利用して２５，０００円の釣銭準備金紙幣が出金される。出金された２５，０００円のうち、１，０００円紙幣１枚を両替処理として紙幣処理装置１２０又は紙幣入金機３００に投入すると、硬貨出金部２５０が、１０円硬貨の棒金（１つの棒金は５０枚の硬貨を包装したもの）を２本出金する。そして、２４，０００円分の紙幣と、１０円硬貨の棒金２本が釣銭準備金として店舗に持ち帰られる。このとき、入出金データの立替情報は２５，０００円であり、両替処理を行っても変わらない。
【０１６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１６７】
１  店舗
３  銀行
１０  現金処理機
２０  センターサーバ
２１  通信部
２２  振込処理部
３１  店舗口座
３２  警備会社口座
１００  演算制御部
１２０  紙幣処理装置
１３０  硬貨処理装置
【図１】
0005795246.tif 000002
【図２】
0005795246.tif 000003
【図３】
0005795246.tif 000004
【図４】
0005795246.tif 000005
【図５】
0005795246.tif 000006
【図６】
0005795246.tif 000007
【図７】
0005795246.tif 000008
【図８】
0005795246.tif 000009
【図９】
0005795246.tif 000010
【図１０】
0005795246.tif 000011
【図１１】
0005795246.tif 000012
【図１２】
0005795246.tif 000013
【図１３】
0005795246.tif 000014